(57)【特許請求の範囲】
【請求項１】
認証鍵を保持した商品引替えカードと、
パチンコ店に設けられ、自店舗で券売した前記商品引替えカードの認証を行うと共に、インターネットに接続され、遊戯玉の収支結果を送信する中間サーバと、
前記中間サーバにインターネットを介して接続され、前記中間サーバからの要求により前記中間サーバによって認証されない他店舗で券売された商品引替えカードの認証を行い、かつインターネットを介して接続された遊戯玉管理センターからの要求により販売店舗に設置された決済端末からの商品引替えカードの認証を行う、インターネット上の商品引替えカード発行／管理サイトと、
前記中間サーバ及び前記商品引替えカード発行／管理サイトにインターネットを介して接続された、遊戯玉の残り玉数の管理を行う遊戯玉管理センターと、
前記遊戯玉管理センターにインターネットを介して接続された、一般商品の販売店舗に設置された決済端末と、を備え、
前記商品引替えカードの所有者が前記販売店舗で商品の引替え要求をした際、前記販売店舗に設置された決済端末は、前記商品引替えカードの認証鍵と商品の請求額を前記遊戯玉管理センターに送信し、
前記遊戯玉管理センターは、前記販売店舗に設置された決済端末から送信された前記商品引替えカードの認証鍵を前記商品引替えカード発行／管理サイトに送信し、前記商品引替えカード発行／管理サイトによる認証を得た後、商品引替えカードの残高を前記決済端末に送信して決済を行うことを特徴とする商品引替えカード認証システム。
【請求項２】
前記決済端末は、決済に際して前記商品引替えカードの所定の位置に決済残高を記録することを特徴とする請求項１に記載の商品引替えカード認証システム。
【発明の詳細な説明】
【０００１】
【発明の属する技術分野】
本発明は、パチンコの遊戯玉および勝ち玉を商品と交換するための商品引替えカード認証システムに関する。
【０００２】
【従来の技術】
パチンコ遊戯者は、現金または購入したプリペードカードを使用して遊戯玉の貸与を受け、遊戯玉を使用してパチンコ遊戯を行い、勝ち玉（賞球）数に応じてパチンコ店内の陳列商品と引替えることができる。
【０００３】
【発明が解決しようとする課題】
パチンコの遊戯玉および勝ち玉は、それを有償貸与した店舗（あるいはチェーン店）にその使用（＝遊戯、景品引き換え）が制限されている。しかし、限られたスペースの中で景品引き換えの為に充分な品揃えをすることは、事実上不可能であり、このことが、景品の現金化（合法的）と過剰なギャンブル性を容認させる温床となっていることは否めない。
【０００４】
本発明の目的は、パチンコ遊戯玉および勝ち玉を現金化することなく、また、パチンコ店には多種多様の景品を品揃えすることなく、遊技者は遊戯玉および勝ち玉を好みの商品と交換可能にする商品引替えカード認証システムを提供することにある。
【０００５】
【課題を解決するための手段】
本発明は、前記の課題を解決するため、従来のプリペードカードおよび勝ち玉カウントカードに対応するものとして商品引替えカードを用意し、パチンコ遊戯玉数および勝ち玉数の認証情報を各種店舗やＥＣサイトに設置するカード用端末装置で商品引替えカードに読み出し／書込みできるようにし、端末装置にはインターネットを通したネット上の第３者組織（遊戯玉管理組織）で接続可能にしたシステムを利用することで、商品引替えカードの認証と玉数管理を行うシステム構成とする。
【０００６】
この商品引替えカード認証システムにより、現在有償貸与した店舗でしか使用（遊戯、商品引替え）できない遊戯玉および勝ち玉を、同組織に加入する他店舗で使用出来ると共に、同組織と決済契約をしたネット上のＥＣサイト、コンビニエンス・ストア、或いはネットに接続可能な地域商店街などで商品と引替えができるようにするもので、以下の構成を特徴とする。
【０００７】
（１）認証鍵を保持した商品引替えカードと、
パチンコ店に設けられ、自店舗で券売した前記商品引替えカードの認証を行うと共に、インターネットに接続され、遊戯玉の収支結果を送信する中間サーバと、
前記中間サーバにインターネットを介して接続され、前記中間サーバからの要求により前記中間サーバによって認証されない他店舗で券売された商品引替えカードの認証を行い、かつインターネットを介して接続された遊戯玉管理センターからの要求により販売店舗に設置された決済端末からの商品引替えカードの認証を行う、インターネット上の商品引替えカード発行／管理サイトと、
前記中間サーバ及び前記商品引替えカード発行／管理サイトにインターネットを介して接続された、遊戯玉の残り玉数の管理を行う遊戯玉管理センターと、
前記遊戯玉管理センターにインターネットを介して接続された、一般商品の販売店舗に設置された決済端末と、を備え、
前記商品引替えカードの所有者が前記販売店舗で商品の引替え要求をした際、前記販売店舗に設置された決済端末は、前記商品引替えカードの認証鍵と商品の請求額を前記遊戯玉管理センターに送信し、
前記遊戯玉管理センターは、前記販売店舗に設置された決済端末から送信された前記商品引替えカードの認証鍵を前記商品引替えカード発行／管理サイトに送信し、前記商品引替えカード発行／管理サイトによる認証を得た後、商品引替えカードの残高を前記決済端末に送信して決済を行うことを特徴とする。
【０００８】
（２）前記決済端末は、決済に際して前記商品引替えカードの所定の位置に決済残高を記録することを特徴とする。
【０００９】
【発明の実施の形態】
図１は、本発明の実施形態を示す商品引替えカード認証システムの構成図である。同図に示す商品引替えカード認証システムは、パチンコ店で発行する商品引替えカードの発行／管理と、遊戯玉管理および商品引替え管理と遊戯玉還流機能を備える。以下、詳細に説明する。
【００１０】
（Ａ）商品引替えカードの発行／管理
各顧客が所持する商品引替えカード（従来のプリペードカードおよび勝ち玉数記録カードに対応）１、各店舗に設置する券売／チャージャ装置２と玉貸与装置３とＣＲ機６、各店舗に設置する中間サーバ４、インターネットより接続可能な商品引替えカード発行／管理サイト５をその構成要素とし、夫々以下の機能を持つものとする。
【００１１】
商品引替えカード１は、券売時に発行されるユニークな識別コードとセキュリティコードを用いてユーザ認証を行い、商品引替えカード発行／管理サイト５への接続を行う。
券売／チャージャ装置２は、新規商品引替えカードの券売と既存商品引替えカードへの点数のチャージ（現金→点数）を行う。
【００１２】
玉貸与装置３は、商品引替えカード１にチャージされている点数の範囲で遊戯用玉を貸与する。
中間サーバ４は、カード１の券売処理と自店舗で券売したカードの認証及び商品引替えカード発行／管理サイト５との通信を行う。
【００１３】
商品引替えカード発行／管理サイト５は、商品引替えカード１の発行、各商品引替えカード１の認証、チャージされている点数の管理を行う。
以上の構成における運用の詳細を以下に説明する。
【００１４】
１）商品引替えカードの仕組み
従来のプリペードカードおよび勝ち玉数記録カードは、カードそのものが価値を有する（＝金券）もので有った。それに対し、本システムは、使用方法は従来のプリペードカードと同様の形態（現金→カード）を取りながら、カードそのものに価値を持たせず、従来の“価値”の部分をネット上の発行／管理サイト５で一括管理する。
従い、顧客に渡されるカードは、ネット上に管理されている“価値”へ接続する為のセキュリティ情報を保持する為の“セキュリティカード”の位置付けとなる。
【００１５】
２）商品引替えカードを使用したシステムの運用詳細
（ａ）券売（商品引替えカードの購入）
図２に示すように、遊戯者は券売／チャージャ装置２に現金の投入と任意の４桁の数字（暗証番号）を入力することによりカードを購入する。
券売チャージャ装置２ではカード購入金額と４桁の数字を中間サーバ４に渡し、中間サーバ４は予め保持している店舗識別と乱数値（７桁）と４桁の数字よりカードの識別コードを生成し、予め安全に保持している署名生成鍵を用いて識別コードより電子署名を生成する。また、４桁の数字を暗号化する。
ネット上の発行／管理サイト５は、金額と生成した識別コードを受け取り、同サイト上に保存する。またこの時、金額と購入店舗は関連付けて保存する。また、中間サーバを介して券売／チャージャ装置２に生成した電子署名と暗号化した４桁の数字を送る。
券売／チャージャ装置２は、中間サーバ４より送信されてきた電子署名、暗号化した４桁の数字、店舗識別を発行するカードに書き込み券売する。
尚、各装置、サーバ、サイト間の通信は、公開鍵方式の暗号を用いて保護するものとする。また、通信用の鍵も含め各装置、サーバ、サイトで使用する鍵は、ＩＣカード等を用いて不正流用から保護したかたちで運用するものとする。
【００１６】
（ｂ）認証
本システムの認証は、以下に示すようにカードにより２通りの認証方法を取るものとする。
・自店発行カード…中間サーバにて認証を行う。
・他店発行カード…ネット上の発行／管理サイトにて認証を行う。
認証手続は、図３に示すように、上記の２つに関係無く、チャージャ装置２または玉貸与装置３にカード１を挿入し、券売時に指定した４桁の数字を入力することにより行う。
このとき、カードが自店発行カードの場合は中間サーバ４で、他店発行カードの場合は中間サーバを経由して発行／管理サイトト５で認証を行う。
認証の方法は、２段階に分かれ、まず電子署名の検証を行い、正規のカードであることを確認後、入力された４桁の数字と暗号化された４桁の数字及び予め登録されている識別コード上の４桁の数字の３組の数字が全て一致した場合認証できたと判断する。
尚、各装置、サーバ、サイト間の通信は、公開鍵方式の暗号を用いて保護するものとする。また、通信用の鍵も含め各装置、サーバ、サイトで使用する鍵は、ＩＣカード等を用いて不正流用から保護したかたちで運用するものとする。
【００１７】
（ｃ）チャージ
従来のプリペードカードと異なり、使い終わった後（途中でも）、新たにカードを購入するのではなく、既存のカード（正確には発行／管理サイト上のデータとして）に現金を用いて新たに点数を追加すること及び勝ち玉数を追加出来ることとし、本システムではこの行為をチャージと称することする。
手順は、図４に示すように、チャージャ装置２にカードを挿入し、認証処理終了後、購入時と同様に現金を投入すること、勝ち玉数をカウントすることにより行われる。
各店舗の中間サーバ４は、投入金額（または勝ち玉数）、既存カードの識別コード、店舗識別をネット上の発行／管理サイト５に送信する。
発行／管理サイト５は、送信されてきた金額を識別コードで指定されるカードの使用残高に追加すると共に、このとき送信されてきた金額と処理した店舗識別を関連付けて保存する。
尚、保持できる金額に上限を設ける為、チャージ金額（勝ち玉数）は、認証完了後に発行／管理サイト５より送信される残高にチャージ金額（勝ち玉数）を加えた額が上限を超えない範囲でチャージさせる。
また、各装置、サーバ、サイト間の通信は、公開鍵式の暗号を用いて保護するものとする。また、通信用の鍵も含め各装置、サーバ、サイトで使用する鍵は、ＩＣカード等を用いて不正流用から保護したかたちで運用するものとする。
【００１８】
（ｄ）遊戯玉貸与処理
商品引替えカードを用いてパチンコの玉を有償貸与する。
図５に示すように、遊戯台又はその付近に設置されている遊戯玉有償貸与装置３にカード１を挿入し、認証完了後にチャージされている金額の範囲で遊戯玉を有償貸与する。
遊戯玉有償貸与に使用した金額は、中間サーバ４を介してリアルタイムでネット上の発行／管理サイト５に反映させる。
認証終了後、ネット上の発行／管理サイト５より使用可能な金額が中間サーバ４経由で遊戯玉貸与装置３に渡される。この時、同時利用（不正利用）を未然に防ぐ為に、発行／管理サイト上の同カードの情報はロックする。
遊戯玉貸与装置３は、送信された金額の範囲で、遊戯玉を有償貸与し、その時に使用した金額を中間サーバ４に送信する。中間サーバは、使用した金額と共に、自身の店舗識別と認証時に取得したカードの識別コードをネット上の発行／管理サイト５に送信する。
発行／管理サイト５は、受信した使用金額で保存している金額を更新し、使用金額と使用した店舗識別を関連付けて保存し、ロックを解除する。
尚、各装置、サーバ、サイト間の通信は、公開鍵方式の暗号を用いて保護するものとする。また、通信用の鍵も含め各装置、サーバ、サイトで使用する鍵は、ＩＣカード等を用いて不正流用から保護したかたちで運用するものとする。
【００１９】
（ｅ）カードの仕様について
商品引替えカードは、チャージにより再利用が可能となる為、カード上に設ける残高表示は、チャージの時にリセット表示出来るものとする。また、各店舗により遊戯玉有償貸与の金額が異なる可能性がある為、残高の表示は金額で行うようにする。
【００２０】
（ｆ）最大保有金額（勝ち玉数）
カード貯入時の金額に上限（例えば金額の１２０％）を定め、これを超えて“チャージ”することは出来ないように制限する。
【００２１】
（Ｂ）勝ち玉管理／還流
図１に戻って、勝ち玉管理は、勝ち玉の出し入れに商品引替えカードのセキュリティシステムをそのまま流用する。
ＣＲ機６は、商品引替えカードの挿入で玉を貸与する従来のＣＲ機に、認証機能とネットワーク機能を付加し、入り玉、出玉の状況を各店舗に設置する中間サーバ４に送信する。中間サーバ４はカード認証とネット上の遊戯玉管理センター７との通信を行う。遊戯玉管理センター７はカード毎（＝顧客）の勝ち玉数管理を貸与店舗単位に行う。商品引替えカード発行／管理サイト５は前記のカード認証を行う。
決済端末８は、遊戯玉管理組織と決済契約をしたコンビニエンス・ストア等の小売店舗およびＥＣサイト９等のネット上に管理され、商品引替え処理を行う端末である。なお、コンビニエンス・ストア等の実店舗はカードリーダによる認証を、ＥＣサイト等の虚店舗の場合は商品引替えカード発行時に知らされるカード識別の電子署名値と４桁の暗証番号により認証を行う。以下、遊戯玉管理の詳細を説明する。
【００２２】
１）勝ち玉管理機構の仕組み
認証機能とネットワーク機能を付加したカードリーダ搭載パチンコ台（以降新ＣＲ機）６から随時店舗に設置する中間サーバ４に遊戯玉の入りと出を送信し、遊戯終了（商品引替えカードの取り出し）時点で、ネット上の遊戯玉管理センター７に中間サーバ４より玉の収支結果を送信する。
以下に遊戯開始から終了までの手続に沿って本システムの仕組みと機能を詳説する。
【００２３】
（ａ）遊戯開始−認証
基本的な流れは、前記のネット型商品引替えカード認証システムの遊戯用玉貸与処理（図５）と同様の処理手順となるが、認証完了後、中間サーバ４より遊戯玉管理センター７との接続を確立する。
図６に示すように、遊戯玉管理センター７は、中間サーバ４より接続要求を受けた場合、正規の相手であると確認（ネット型商品引替えカード認証システムと同様通信は公開鍵／秘密鍵方式による暗号通信を使用）出来た場合、その遊戯が終了するまでの間、有効なチャレンジ（数桁の乱数値で同センターに電子署名の形で保存）を発行し、以降の新ＣＲ機６からの通信に使用する。
認証完了時点で、新ＣＲ機６は、中間サーバ４より、カードの残高（金額）とその店舗名義の残玉数が渡され、以降遊戯に使用される。
また、カードの不正利用を避ける為、この間、遊戯玉管理センター７で管理されているその店舗名義の残玉数は凍結する。
【００２４】
（ｂ）遊戯
図７に示すように、遊戯中の玉の出入り数は各店舗に設置する中間サーバ４で管理する。
尚、実際は、商品引替えカードから遊戯玉への有償貸与もこの間に行われる（商品引替えカード発行／管理サイトとの通信）ことになるが、ここでは割愛する。この部分の処理の流れは前記の商品引替えカード認証システムに準拠する。
【００２５】
（ｃ）遊戯の終了
図８に示すように、新ＣＲ機６より遊戯終了イベントを各店舗に設置する中間サーバ４が受け取ると、今まで管理していた玉の収支結果をチャレンジと共に遊戯玉管理センター７に送信してその遊戯を終了する。
遊戯玉管理センター７は、カード１からの遊戯終了（収支送信）を受信すると収支結果で自身の管理玉を更新し、認証時の凍結を解除する。
尚、実際は、この時商品引替えカード認証システム側も終了処理を行う。
【００２６】
（２）勝ち玉還流機構の仕組み
遊戯玉管理組織（＝遊戯玉管理センター運営組織）と決済契約を交わした小売店舗（コンビニエンス・ストアやＥＣサイト）の決済端末８と遊戯玉管理組織との通信により、カード認証または、暗証番号認証により認証を行い、管理されている勝ち玉（各貸与店舗によらず透過的に決済する）数に応じて同店舗の商品と引替える。
遊戯玉管理組織は、契約小売店舗で使用された勝ち玉数分管理している玉総数から減じ、契約小売店舗に対し使用玉数に対応する金銭を渡す。また、遊戯玉管理センターは、還流してきた遊戯玉を各貸与店舗に有償で引き渡す（数字のみ）。尚、従来通りの各パチンコ店内の商品引替え例における商品引替えも同様の仕組みで行うこととする。
以下に実店舗及びＥＣサイトに於ける商品引替えの仕組みの詳説を示す
【００２７】
（ａ）実小売店舗における商品引替え
各貸与遊戯玉の換金額は各パチンコ店で任意に設定されるため、小売店舗に対しては、そのカードで管理されている全ての勝ち玉を各貸与店舗の換金額で金額に換算したものとする。
また、図９に示すように、遊戯玉管理センター７は認証が完了した時点で、そのカードで管理されている全ての勝ち玉を凍結し、小売店舗の決済端末に引替え完了まで有効なチャレンジ利用可能金額（数桁の乱数値で電子署名を同センターで保存）を発行する。
引替えは、実小売店舗で使用した金額をチャレンジと使用金額（引替えなかった場合は０）を遊戯玉管理センター７に送信し、同センターで使用金額相当を管理下の勝ち玉数より減ずることにより行う。
尚、この時、どのパチンコ店名義の勝ち玉を使用するかは、換金金額の多い順にとることとする。
【００２８】
（ｂ）ＥＣサイトにおける商品引替え
家庭のＰＣ（パソコン）からの利用を前提とする為、図１０に示すように、商品引替えカードは使用せずに、ＥＣサイト１１を通した遊戯玉管理センター７および商品引替えカード発行／管理センター５との間の通信により、暗証番号（４桁の数字）とカード発行時に渡される電子署名、店舗識別により認証を行う。
【００２９】
（ｃ）商品引替えと遊戯玉の還流手順
前記のように、パチンコ店で発行する商品引替えカードの認証と残り玉数の管理を、パチンコ店の中間サーバとインターネット接続される商品引替えカード発行／管理センター５と遊戯玉管理センター７で行う。
このシステムを利用し、図１および図１１に示すように、商品引替えカードには認証鍵のみを保持し、商品引替えカード別のパチンコ玉の残り玉数について遊戯玉管理センター７で管理しておき、一般商品の販売店舗には商品引替えカード認証システムと決済契約をした決済端末８を設置しておき、商品引替えカードの所有者が店舗で商品と引替え要求するときに、決済端末８はカードの認証鍵と商品の請求額をセンター５、７に送信し、センター５、７は認証とカードの残高を決済端末８に送信して決済を行うことで、店舗での商品引替えを可能にする。
このとき、決済端末８は、決済に際してカードの所定の位置に使用残高を印字する手段８Ａと、認証手段８Ｂを設けておく。
また、遊戯玉管理組織（７）は、小売店舗に設けた決済端末８で商品引替えに使用された金額に対する支払を小売店舗に対し行う。また、商品と引替えられた遊戯玉は、各貸与パチンコ店舗１３別に遊戯玉管理組織より有償（各パチンコ店の勝ち玉換金額）で戻される（同センターより請求する）。
【００３０】
【発明の効果】
以上のとおり、本発明によれば、ネット上の発行／管理機関により商品引替えカードの発行（販売）と残高管理を行い、玉数の管理と遊戯玉の還流をインターネットから接続可能なネット上の第３者組織で行うことにより、現在有償貸与した店舗でしか使用できない勝ち玉が他店舗で使用出来ると共に、ネット上のＥＣサイト、コンビニエンス・ストア、或いはネットに接続可能な地域商店街などで商品引替えができるようになり、商品引替えカードの使い勝手を高めることができる。
【図面の簡単な説明】
【図１】本発明の実施形態を示す商品引替えカード認証システムの構成図。
【図２】実施形態における発券処理の説明図。
【図３】実施形態における認証処理の説明図。
【図４】実施形態におけるチャージ処理の説明図。
【図５】実施形態における遊戯用玉貸与処理の説明図。
【図６】実施形態における遊戯開始−認証処理の説明図。
【図７】実施形態における遊戯処理の説明図。
【図８】実施形態における遊戯終了処理の説明図。
【図９】実施形態における実小売店舗の商品引替え処理の説明図。
【図１０】実施形態におけるＥＣサイトの商品引替え処理の説明図。
【図１１】実施形態における商品引替えと遊戯玉の還流処理の説明図。
【符号の説明】
１…商品引替えカード
２…券売／チャージャ装置
３…玉貸与装置
４…中間サーバ
５…商品引替えカード発行／管理サイト
６、１０…ＣＲ機
７…遊戯玉管理センター
８…決済端末
９、１１…ＥＣサイト
１２…小売店舗
１３…パチンコ店舗
【図１】
0004469122.tif 000002
【図２】
0004469122.tif 000003
【図３】
0004469122.tif 000004
【図４】
0004469122.tif 000005
【図５】
0004469122.tif 000006
【図６】
0004469122.tif 000007
【図７】
0004469122.tif 000008
【図８】
0004469122.tif 000009
【図９】
0004469122.tif 000010
【図１０】
0004469122.tif 000011
【図１１】
0004469122.tif 000012